(57)【要約】【課題】エレベーターホール及びかご内における各種放送、階床案内表示などの内容変更に柔軟に対応可能なエレベーター案内表示システムを提供する。【解決手段】ホール端末ＨＴ１〜ＨＴ３及びかご端末ＣＴ１に案内表示データ、各種案内放送データを号機制御装置ＣＰ１から、エレベーター電源投入時または異常発生からの回復時に、初期化伝送として送信する。また、案内表示内容の変更が要求された場合にも、入力された変更後の案内表示データを各端末へ送信する。この案内表示データを、ホール及びかご端末で受信格納し、運転中に、音声案内、案内表示用のデータとして、利用する。これにより、各種放送、階床案内表示などの変更要求に柔軟かつ素早く対応可能となる。【選択図】図１
2011111287.tif 000002
【特許請求の範囲】
【請求項１】
各階ホールに設置されたホール呼び釦とその応答灯、各種案内表示装置などを制御する各階のホール端末と、
かご内に設置される行き先階呼び釦とその応答灯、各種案内表示装置などを制御するかご端末と、
前記ホール端末及び前記かご端末と多重伝送路により接続される号機制御装置とを備えたエレベータの案内表示システムにおいて、
前記号機制御装置に設けられ、前記ホール端末及び前記かご端末に、案内表示情報を形成するための要素データを送信する要素データ送信手段、
前記ホール端末及び前記かご端末に設けられ、前記要素データ送信手段から受信した要素データを、指定されたアドレスに格納する要素データ格納メモリ、
前記号機制御装置に設けられ、エレベーターの運転に応じてまたは定期的に、前記ホール端末及び前記かご端末に、前記要素データが格納されたアドレスの組合せからなる案内表示用のデータを送信する案内表示用データ送信手段、
前記ホール端末及び前記かご端末に設けられ、受信した前記案内表示用データが示す前記要素データを組合わせて、案内表示を行う案内表示手段
を備えたことを特徴とするエレベーターの案内表示システム。
【請求項２】
請求項１において、前記要素データ送信手段は、前記エレベータ号機制御装置の電源投入に応じて前記要素データを送信するように構成されていることを特徴とするエレベーターの案内表示システム。
【請求項３】
請求項１において、前記要素データ送信手段は、前記エレベータ号機制御装置の異常状態からの復帰に応じて前記要素データを送信するように構成されていることを特徴とするエレベーターの案内表示システム。
【請求項４】
請求項１〜３のいずれかにおいて、前記要素データ送信手段は、前記エレベータ号機制御装置内の前記要素データに変更があった場合、当該エレベータのホール呼び及びかご内行先呼びが無い状態が所定時間継続したことに応じて、前記要素データを送信するように構成されていることを特徴とするエレベーターの案内表示システム。
【請求項５】
請求項１〜４のいずれかにおいて、前記ホール端末及び前記かご端末に設けられた前記要素データ格納メモリは、案内表示用の要素データ一式を記憶するように構成されていることを特徴とするエレベーターの案内表示システム。
【請求項６】
請求項４において、ビル内の管理センターに、前記エレベータ号機制御装置内の前記要素データの変更を入力する操作卓を備えたことを特徴とするエレベーターの案内表示システム。
【請求項７】
各階ホールに設置されたホール呼び釦とその応答灯、各種案内表示装置などを各階のホール端末で制御するステップと、
かご内に設置される行き先階呼び釦とその応答灯、各種案内表示装置などをかご端末で制御するステップと、
エレベーターの号機制御装置と、前記ホール端末及び前記かご端末との間を、多重伝送路により接続してデータを伝送するステップとを備えたエレベータの案内表示方法において、
前記号機制御装置から前記ホール端末及び前記かご端末へ、案内表示情報を形成するための要素データを送信する要素データ送信ステップと、
前記ホール端末及び前記かご端末において、前記要素データ送信手段から受信した要素データを、指定されたアドレスに格納する要素データ格納ステップと、
エレベーターの運転または定期的に、前記号機制御装置から前記ホール端末及び前記かご端末へ、前記要素データが格納されたアドレスの組合せからなる案内表示用のデータを送信する案内表示用データ送信ステップと、
前記ホール端末及び前記かご端末で、受信した前記案内表示用データが示す前記要素データを組合わせて、案内表示を行う案内表示ステップ
を備えたことを特徴とするエレベーターの案内表示方法。
【発明の詳細な説明】
【技術分野】
【０００１】
本発明は、エレベーターの案内表示システムおよび案内表示方法に係わり、特にかご内及びホールにおける案内表示の内容を変更する手段を備えたエレベーターの案内表示システムおよび案内表示方法に関する。
【背景技術】
【０００２】
エレベーターの乗場（ホール）やかご内の案内表示としては、かご位置と運転方向を視覚的に表示するかご位置表示器、運転方向や到着階を聴覚的に案内する音声案内放送などがある。以下、これらを総称して、案内表示と称することとする。
【０００３】
この種の技術として、ホール端末・かご端末側の不揮発性のメモリに、工場出荷時に予め使用する表示データ及び音声データ（以下、両データを含めて案内表示用の要素データと称する）を記憶しておき、号機制御装置から案内表示用の要素データが格納されたメモリのアドレスを送る方式と、案内表示用の要素データそのものを、案内表示出力タイミングで送るといった方式がある。
【０００４】
まず、特許文献１には、端末側に２箇所の記憶個所を用意しておき、第１記憶装置には標準的な案内表示用の要素データを格納しておき、案内表示を変更したい場合には、修正装置を用いて第２の記憶装置に変更した案内表示用の要素データを格納する。そして、エレベータ制御装置から案内表示コードが送信されたときに、端末側は、そのコードに応じたデータを第２の記憶装置から取得する。しかし、標準の案内表示で良く、案内表示の変更を要求されていない場合は、第２の記憶装置の該当部分には何も格納されておらず、第１の記憶装置から標準の案内表示用の要素データを取得し案内表示する。
【０００５】
また、特許文献２には、エレベータ制御装置から、案内表示装置を備えた端末側へ、案内表示用の要素データそのものを定期的に伝送する技術が開示されている。
【先行技術文献】
【特許文献】
【０００６】
【特許文献１】特開昭６２−１９６２８３号公報
【特許文献２】特開平９−１６５１５４号公報
【発明の概要】
【発明が解決しようとする課題】
【０００７】
上記した特許文献１のように、２つの記憶装置に異なる案内表示情報を格納して選択的に案内表示する方式では、記憶装置の容量が単純に２倍必要になってしまう。
【０００８】
一方、特許文献２のように、案内表示用の要素データそのものを伝送するものでは、送信するデータ量が膨大になるため、制御盤と端末間の通信周期が長くなり、端末での入出力応答性が低下し、エレベーターが高速になる程、案内表示が追いつかない欠点がある。
【０００９】
本発明の課題は、ホール及びかご内での案内表示内容を柔軟に変更可能なエレベーターの案内表示システムを提供することにある。
【００１０】
本発明のその他の課題は、案内表示用の要素データを格納する記憶装置の要領を増やすことなしに、ホール及びかご内での案内表示内容を変更可能なエレベーターの案内表示システムを提供することにある。
【課題を解決するための手段】
【００１１】
本発明の望ましい実施態様においては、エレベーターの電源投入時の初期化伝送として、号機制御装置からホール端末及びかご端末に、案内表示用の要素データを送信する。また、異常発生からの回復時にも、号機制御装置からホール端末及びかご端末に、案内表示用の要素データを送信することが望ましい。
【００１２】
ここで、案内表示内容の変更が要求された場合に、ビル内の管理センターなどから、変更された案内表示用の要素データが入力されると、入力された変更後の案内表示用の要素データを、号機制御装置からホール端末及びかご端末に送信する。これをホール及びかご端末で受信格納し、その後の、エレベーター運転中における案内表示用の要素データとして利用する。
【発明の効果】
【００１３】
本発明の望ましい実施態様によれば、毎朝のエレベーターの電源投入時に、号機制御装置から各階およびかご端末へ、案内表示用の要素データを伝送することにより、各種案内表示の内容の変更要求に対して、次回の電源投入時から、即応可能なエレベーターの案内表示システムを提供できる。
【００１４】
また、本発明の望ましい実施態様によれば、運転中の案内表示の内容の変更要求に対しては、エレベーターの呼びが所定時間だけ途絶えたときに、号機制御装置から各階およびかご端末へ、変更された案内表示用の要素データを伝送することにより、変更要求に柔軟かつ素早く対応可能なエレベーターの案内表示システムを提供できる。
【００１５】
さらに、本発明の望ましい実施態様によれば、号機制御装置から各階およびかご端末へ、案内表示用の要素データ一式を伝送することにより、案内表示データを格納する各端末の記憶装置容量を増すことなく、変更要求に柔軟に対応可能なエレベーターの案内表示システムを提供できる。
【００１６】
本発明のその他の目的と特徴は、以下に述べる実施形態の中で明らかにする。
【図面の簡単な説明】
【００１７】
【図１】本発明の一実施例によるエレベーターの案内表示システムの系統構成を示す図である。
【図２】本発明の一実施例による号機制御装置側の案内表示処理フロー図である。
【図３】本発明の一実施例による端末側の案内表示処理フロー図である。
【図４】本発明の一実施例による視覚による表示用の要素データテーブルの一部を抜粋した概略構成図である。
【図５】本発明の一実施例による音声案内用の要素データテーブルの一部を抜粋した概略構成図である。
【図６】本発明の一実施例による主マイコンと端末間の案内表示用伝送データのタイムチャートである。
【発明を実施するための形態】
【００１８】
図１を参照して本発明の一実施例によるエレベーターの案内表示システムの系統構成を説明する。エレベーターを統括制御する号機制御装置ＣＰ２の内部には、主マイコンＣＭＰＵ２がある。この主マイコンＣＭＰＵ２は、ホール用多重伝送路ＨＬ１により、各階設置のホール端末ＨＴ１〜ＨＴ３とそれぞれ接続されている。また、主マイコンＣＭＰＵ２は、かご用多重伝送路ＣＬ２により、かご側のかご端末ＣＴ１と接続されている。ホール端末ＨＴ１〜ＨＴ３は、各階のホール呼び釦ＨＢ１〜ＨＢ３や、ホール用のかご位置表示装置兼音声案内装置ＨＩ１〜ＨＩ３に接続されている。かご端末ＣＴ１は、行き先階呼び釦ＣＤ１とかご用のかご位置表示装置兼音声案内装置ＣＩ１に接続されている。
【００１９】
ここで、案内表示の内容を変更するための操作卓ＯＴが、ビル内の管理センターＭＣ内に設けられている。もちろん、各エレベーターの号機制御装置ＣＰ２に直接、入力手段を設けても良い。
【００２０】
図２は、本発明の一実施例による号機制御装置側の案内表示処理フロー図である。
【００２１】
ステップ２０１では、主マイコンが電源投入の有無を検出する。電源投入を検出したのであればステップ２０２に移行する。電源投入を検出していなければステップ２０３で、かご端末及びホール端末異常を検出したかを判定する。端末のいずれかが異常を検出していればステップ２０２へ戻り、異常検出がなければステップ２０４へ移行する。
【００２２】
さて、ステップ２０２では、全伝送完了を意味するＦＬＧ１をリセットする。次に、ステップ２０５では、かご端末ＣＴ１およびホール端末ＨＴ１〜ＨＴ３に案内表示用の要素データ一式を伝送する。伝送を全て完了すれば、ステップ２０６において、全伝送完了を意味するＦＬＧ１をセットする。次に、ステップ２０７で、ＦＬＧ１のセット状態を確認する。セット済みであれば、既に、ホール端末ＨＴ１〜ＨＴ３及びかご端末ＣＴ１では、案内表示用の要素データを受信格納済みと見なすことができるので、ステップ２０８で、端末に案内表示させる案内表示用の要素データの格納アドレスを伝送する。
【００２３】
これによって、これまでの運用において使用されていた案内表示用の要素データが、ホール端末ＨＴ１〜ＨＴ３及びかご端末ＣＴ１にセットされ、これまでと同じ表示内容、音声案内放送が実行されることになる。
【００２４】
ところで、エレベーターの運転中に、案内表示内容の変更が要求され、センターＭＣ内の操作卓ＯＴから、案内表示データの変更入力がなされたとする。この場合、図２のステップ２０３で、端末に異常が無いことを検出した後、ステップ２０４に進んで、号機側格納案内表示用の要素データに変化があることを検出する。すると、ステップ２０９において、エレベーターが利用中であるかを判断し、利用の合間をぬって、ステップ２０２から２０７で、変更された案内表示用の要素データ一式をかご端末及ＣＴ１およびホール端末ＨＴ１〜ＨＴ３に伝送する。したがって、ステップ２０８での、以後の案内表示は、変更された案内表示用の要素データに基づいて実行されることになる。
【００２５】
この結果、かご端末及ＣＴ１およびホール端末ＨＴ１〜ＨＴ３においては、常に、案内表示用の要素データ一式を格納しており、余分な記憶装置は必要が無い。
【００２６】
図３は、本発明の一実施例による端末側の案内表示処理フロー図である。
【００２７】
ステップ３０１では、主マイコンから送信された案内表示用の要素データの受信に成功したかを判定する。受信に成功していれば、ステップ３０２で、端末側に格納保持する。次に、ステップ３０３では、主マイコンから、案内表示用の要素データの格納アドレスに対応する要素データ番号を受信したかを確認する。これらの番号を受信していれば、ステップ３０４では、受信した番号の要素データに対応するアドレスに基づいて、案内表示用の要素データ格納テーブルから、今回、案内表示すべき案内表示用の要素データを取得する。次に、ステップ３０５では、取得した案内表示用の要素データに基づいて、表示器や音声案内装置から案内表示を出力する。
【００２８】
本実施例においては、視覚表示における文字フォントの変更要求に対しては、号機制御装置ＣＰ２から、フォントデータ番号のみを変更して送信するだけで、文字フォントを変更できる。
【００２９】
図４は、本発明の一実施例による視覚による表示用の要素データテーブルの一部を抜粋した概略構成図であり、同じく図５は、本発明の一実施例による音声案内用の要素データテーブルの一部を抜粋した概略構成図である。これらは、それぞれ、データ番号に対応した所定のアドレスに、案内表示用の要素データを格納する。
【００３０】
本テーブルは、号機制御装置側及び端末側で同じ構成となっており、号機制御装置側で本テーブルのデータを変更すれば、前述した図２および図３の処理の実行により、端末側のデータも連動して変更できる。例えば、号機制御装置側でＢという案内表示用の要素データを漢字の“中”と変更すれば、端末側の案内表示用の要素データも同様に変更となる。実際に、案内表示させるには、そのデータが格納されるアドレスを指定することで可能である。
【００３１】
図６は、本発明の一実施例による主マイコンと端末間のデータ伝送タイムチャートを示したものであり、電源投入時や異常状態からの復帰時には、案内表示用の要素データを伝送し、その後、定期的に、あるいはエレベーターの運転に応じて、案内表示データ番号を送信する。端末側の異常を検出すれば、再度案内表示用の要素データを伝送し、その後、定期的に案内表示用の要素データ番号を送信する。
【符号の説明】
【００３２】
ＭＣ：管理センター、ＯＴ：操作卓、ＣＰ２：号機制御装置、ＣＭＰＵ２：号機制御用主マイコン、ＨＬ１：ホール用多重伝送路、ＣＬ２：かご用多重伝送路、ＨＴ１〜ＨＴ３：ホール端末１〜３、ＨＢ１〜ＨＢ３：ホール呼び釦１〜３、ＨＩ１〜ＨＩ３：ホール用案内表示装置兼音声案内装置、ＣＴ１：かご端末、ＣＤ１：かご内行き先階呼び釦、ＣＩ１：かご用階床案内表示装置兼音声案内装置。
【図１】
2011111287.tif 000003
【図２】
2011111287.tif 000004
【図３】
2011111287.tif 000005
【図４】
2011111287.tif 000006
【図５】
2011111287.tif 000007
【図６】
2011111287.tif 000008